(57)【要約】【課題】表示部を備えていなくても、１部の記録媒体への画像記録を簡易に実行可能としつつ、任意の所望部数の画像記録を行う場合にユーザが記録部数を把握しやすくする。【解決手段】操作ボタンが１回押され操作ボタンから第１信号が出力された場合に（Ｓ１）、給紙トレイ又はバイパストレイから用紙を給紙して、スキャナ装置で原稿を読み取ることで得られた画像データにかかるコピー画像を１部作成する第１コピー処理を実行する（Ｓ２）。操作ボタンが２回押され操作ボタンから第２信号が出力された場合に（Ｓ３）、バイパストレイに支持されたすべての用紙を給紙することによって、スキャナ装置で原稿を読み取ることで得られた画像データにかかるコピー画像を１部又は複数部作成する第２コピー処理を実行する（Ｓ４）。【選択図】図３
2020055123.tif 000002
【特許請求の範囲】
【請求項１】
画像データを取得する画像データ取得部と、
画像の記録を行う画像記録部と、
記録媒体を支持するために支持面を有しており、前記支持面に支持された記録媒体を前記画像記録部に給紙可能な少なくとも１つの給紙部と、
ユーザ操作に応じた信号を出力する信号出力部と、
制御部と、を備えた画像記録装置であって、
前記制御部は、
前記信号出力部から第１信号が出力された場合に、前記少なくとも１つの給紙部のいずれかに支持された記録媒体を給紙することによって、前記画像記録部で前記画像データ取得部によって取得された前記画像データにかかる画像を１部記録する第１記録処理を実行し、
前記信号出力部から前記第１信号とは異なる第２信号が出力された場合に、前記少なくとも１つの給紙部のいずれかに支持されたすべての記録媒体を給紙することによって、前記画像記録部で前記画像データ取得部によって取得された前記画像データにかかる画像を１部又は複数部記録する第２記録処理を実行することを特徴とする画像記録装置。
【請求項２】
前記少なくとも１つの給紙部が、第１給紙部及び第２給紙部を含み、
前記制御部は、前記第１給紙部及び第２給紙部のいずれからも記録媒体の給紙が可能である場合には、前記第１記録処理を実行する際に前記第１給紙部が給紙を行い、前記第２記録処理を実行する際に前記第２給紙部が給紙を行うようにすることを特徴とする請求項１に記載の画像記録装置。
【請求項３】
前記第１給紙部の前記支持面に支持される記録媒体の有無を検知する第１媒体検知部と、
前記第２給紙部の前記支持面に支持される記録媒体の有無を検知する第２媒体検知部とをさらに備えており、
制御部は、
前記第１媒体検知部による検知に基づいて、前記第１給紙部の前記支持面に記録媒体が支持されているか否かを判断する第１媒体有無判断処理と、
前記第２媒体検知部による検知に基づいて、前記第２給紙部の前記支持面に記録媒体が支持されているか否かを判断する第２媒体有無判断処理と、をさらに実行することを特徴とする請求項２に記載の画像記録装置。
【請求項４】
制御部は、
前記信号出力部から第１信号が出力された場合に、（ａ）前記第１媒体有無判断処理において前記第１給紙部の前記支持面に記録媒体が支持されていると判断されたときは、前記第１給紙部に支持された記録媒体を給紙することによって前記第１記録処理を実行し、（ｂ）前記第１媒体有無判断処理において前記第１給紙部の前記支持面に記録媒体が支持されていないと判断され、且つ、前記第２媒体有無判断処理において前記第２給紙部の前記支持面に記録媒体が支持されていると判断されたときは、前記第２給紙部に支持された記録媒体を給紙することによって前記第１記録処理を実行することを特徴とする請求項３に記載の画像記録装置。
【請求項５】
ユーザへの報知を行う報知部をさらに備えており、
前記制御部は、
前記信号出力部から第２信号が出力された場合に、前記第２媒体有無判断処理において前記第２給紙部の前記支持面に記録媒体が支持されていないと判断されたとき、その旨の報知が行われるように、前記報知部を制御する紙無しエラー報知処理をさらに実行することを特徴とする請求項３又は４に記載の画像記録装置。
【請求項６】
前記制御部は、
前記紙無しエラー報知処理の後、再度前記信号出力部から第２信号が出力された場合に、再度前記第２媒体有無判断処理を実行し、前記第２給紙部の前記支持面に記録媒体が支持されていると判断されたとき、前記画像データ取得部によって再度前記画像データを取得することなく、取得済みの前記画像データに基づいて前記第２記録処理を実行することを特徴とする請求項５に記載の画像記録装置。
【請求項７】
前記制御部は、
前記紙無しエラー報知処理の後、前記信号出力部から第１信号が出力された場合に、前記画像データ取得部によって再度前記画像データを取得することなく、取得済みの前記画像データに基づいて前記第１記録処理を実行することを特徴とする請求項５又は６に記載の画像記録装置。
【請求項８】
前記制御部は、
前記第２記録処理終了後の所定時間以内に前記信号出力部から第２信号が出力された場合に、前記第２給紙部に支持されたすべての記録媒体を給紙することによって、前記画像データ取得部によって再度前記画像データを取得することなく、取得済みの画像データに基づいて前記画像記録部で１部又は複数部の画像記録を行う追加記録処理を実行することを特徴とする請求項１〜７のいずれか１項に記載の画像記録装置。
【請求項９】
前記制御部は、
前記第２給紙部の前記支持面によって支持される記録媒体のサイズが、前記画像データ取得部で取得した画像データに基づく記録媒体のサイズと同じであるか否かを判断するサイズ判別処理をさらに実行し、
前記信号出力部から第２信号が出力された場合に、前記サイズ判別処理において、前記第２給紙部の前記支持面によって支持される記録媒体のサイズが、前記画像データ取得部で取得した画像データに基づく記録媒体のサイズと異なると判断されたときは、その旨を報知するサイズエラー報知処理をさらに実行することを特徴とする請求項１〜８のいずれか１項に記載の画像記録装置。
【請求項１０】
前記制御部は、
前記サイズエラー報知処理において、前記第２給紙部に支持された記録媒体を前記画像記録部へ給紙し、前記画像データ取得部で取得した前記画像データの倍率を前記第２給紙部の前記支持面によって支持される記録媒体のサイズに合わせて、前記画像記録部で１部の画像記録を行うことを特徴とする請求項９に記載の画像記録装置。
【請求項１１】
前記制御部は、
前記サイズエラー報知処理実行後に、前記信号出力部から第３信号が出力された場合に、前記画像データ取得部によって再度前記画像データを取得することなく、取得済みの前記画像データに基づいて倍率を前記第２給紙部の前記支持面によって支持される記録媒体のサイズに合わせて、前記第２給紙部に支持されたすべての記録媒体を給紙することによって前記第２記録処理を実行することを特徴とする請求項９又は１０に記載の画像記録装置。
【請求項１２】
前記第２給紙部の前記支持面が外部に露出していることを特徴とする請求項１〜１１のいずれか１項に記載の画像記録装置。
【発明の詳細な説明】
【技術分野】
【０００１】
本発明は、記録媒体に画像を記録する画像記録装置に関する。
【背景技術】
【０００２】
特許文献１には、ユーザがコピー枚数を入力するためのテンキーと、コピー枚数表示７セグＬＥＤ（表示部）とを備えた複写装置（画像記録装置）が開示されている。コピー枚数表示７セグＬＥＤには、ユーザによるテンキー操作に基づいて設定されたコピー枚数が表示される。
【先行技術文献】
【特許文献】
【０００３】
【特許文献１】特開平６−２８２１４０号公報
【発明の概要】
【発明が解決しようとする課題】
【０００４】
低価格帯の画像記録装置は、上述のようにテンキーやユーザによって入力されたコピー枚数（部数）を表示するための表示部を備えていない場合がある。このような画像記録装置においては、例えば、コピーの開始を指示するためのスタートキーを複数回操作することで、コピー部数の設定を行うことが考えられる。しかしながら、この場合、設定されたコピー部数が表示されないので、ユーザにとってはこれから何部のコピーが実行されるかを把握しづらく、使い勝手がいいとは言えない。また、実際の用途では、コピー部数として１部（すなわち原稿を１枚ずつ印刷）が選択されることが多いため、コピー部数を１部として簡易に画像を記録する機能を有していることが望まれる。なお、コピー機能を持たない画像記録装置において画像記録を行う場合であっても同様の問題が発生する。
【０００５】
本発明の目的は、表示部を備えていなくても、１部の記録媒体への画像記録を簡易に実行可能としつつ、任意の所望部数の画像記録を行う場合にユーザが記録部数を把握しやすい画像記録装置を提供することである。
【課題を解決するための手段】
【０００６】
本発明の画像記録装置は、画像データを取得する画像データ取得部と、画像の記録を行う画像記録部と、記録媒体を支持するために支持面を有しており、前記支持面に支持された記録媒体を前記画像記録部に給紙可能な少なくとも１つの給紙部と、ユーザ操作に応じた信号を出力する信号出力部と、制御部と、を備えた画像記録装置であって、前記制御部は、前記信号出力部から第１信号が出力された場合に、前記少なくとも１つの給紙部のいずれかに支持された記録媒体を給紙することによって、前記画像記録部で前記画像データ取得部によって取得された前記画像データにかかる画像を１部記録する第１記録処理を実行し、前記信号出力部から前記第１信号とは異なる第２信号が出力された場合に、前記少なくとも１つの給紙部のいずれかに支持されたすべての記録媒体を給紙することによって、前記画像記録部で前記画像データ取得部によって取得された前記画像データにかかる画像を１部又は複数部記録する第２記録処理を実行する。
【発明の効果】
【０００７】
本発明の画像記録装置では、ユーザは、１部の画像記録を行いたい場合には、第１信号が出力されるように信号出力部を操作すればよい。また、ユーザは、任意の所望部数の画像記録を行いたい場合には、信号出力部が第２信号を出力した場合に給紙を行う給紙部に、所望部数の画像記録を行うのに必要な枚数の記録媒体を予め支持させておき、第２信号が出力されるように信号出力部を操作すればよい。これによって、表示部がなく信号出力部を１つ有する装置構成であっても、１部の画像記録を簡易に実行可能としつつ、任意の所望部数の画像記録を行う場合にユーザが記録部数を把握しやすくなる。
【図面の簡単な説明】
【０００８】
【図１】本発明の一実施形態にかかる複合機に備えられたプリンタ装置の内部構造を示す概略側面図である。
【図２】図１に示す複合機の電気的構成を概略的に示すブロック図である。
【図３】図１に示す複合機の制御部で行われる処理手順の一例を示すフローチャートである。
【図４】図２に示す第１コピー処理の処理手順の一例を示すフローチャートである。
【図５】図２に示す第２コピー処理の処理手順の一例を示すフローチャートである。
【発明を実施するための形態】
【０００９】
以下、本発明の好適な一実施の形態について、図面を参照しつつ説明する。本実施形態においては、プリント機能、スキャン機能、及びコピー機能を有する、いわゆる複合機１について説明する。本実施形態の複合機１は、液晶パネルなどのディスプレイは備えていない。複合機１は、読み取り台（不図示）にセットされた原稿を読み取り、画像データを生成するスキャナ装置２（図２参照）と、画像の記録を行うプリンタ装置１０（図１、２参照）とを備えている。図１においては、複合機１内のプリンタ装置１０の内部構成を示している。以下の説明においては、複合機１が使用可能に設置された状態（図１の状態）を基準として上下方向が定義され、筐体１１の開口１３が設けられている側を手前側（正面）として前後方向が定義され、複合機１を手前側（正面）から見て左右方向が定義される。
【００１０】
プリンタ装置１０は、図１に示すように、給紙トレイ９１、バイパストレイ９３、排出トレイ５、記録部６、搬送部７、及び制御部８などを有する。給紙トレイ９１、記録部６、搬送部７、及び制御部８は、複合機１の筐体１１内に収容されている。筐体１１内において、記録部６の下方に給紙トレイ９１が配置されている。筐体１１の前面には操作ボタン２８及びＬＥＤランプ２９が設けられている。なお、図１においては図示を省略しているが、記録部６よりも上方には、スキャナ装置２（図２参照）が配置されている。
【００１１】
給紙トレイ９１及びバイパストレイ９３は、いずれも複数の用紙９を積層状態で支持して収容することが可能なものである。給紙トレイ９１が本発明の「第１給紙部」に相当し、バイパストレイ９３が本発明の「第２給紙部」に相当する。
【００１２】
給紙トレイ９１は、筐体１１の正面に形成された開口１３から前後方向に挿抜可能となっている。なお、給紙トレイ９１の前方側の上方には排出トレイ５が配置されており、排出トレイ５は給紙トレイ９１と共に移動するようになっている。給紙トレイ９１は、用紙９を支持する支持面９１ａを有している。支持面９１ａは上下方向に垂直な面である。給紙トレイ９１が筐体１１内に位置しているときは、支持面９１ａは筐体１１の内部空間に露出している。給紙トレイ９１の後端部には、傾斜板９１ｂが設けられている。
【００１３】
バイパストレイ９３は、筐体１１の背面に形成された開口１４を閉塞可能に配置されている。バイパストレイ９３は、用紙９を支持する支持面９３ａを有するベース板９４の下端部が左右方向に延びる軸を中心に回動可能となっており、図１に破線で示すように、ベース板９４が起立状態となる位置（以降、単に「起立位置」と称する）であるときに開口１４を覆う。起立位置にあるときは、支持面９３ａは開口１４と対向している。バイパストレイ９３は、起立位置から、ベース板９４の下端部を中心に、上下方向に対して傾斜した位置（以降、単に「傾斜位置」と称する）まで回動する。傾斜位置にあるときは、支持面９３ａは回動軸を下方として斜め上方を向いている。ベース板９４の左右方向両端及び回動端とは反対側の端には支持面９３ａを取り囲むように立設させた側壁９５、９６が設けられており、バイパストレイ９３は略箱状に形成されている。ベース板９４の回動端とは反対側の端に立設された側壁９６は、ベース板９４側の端部が左右方向に延びる軸を中心に回動可能となっている。バイパストレイ９３に用紙９を支持させるときには、ベース板９４を傾斜位置とし、側壁９６を回動させてその内側面（バイパストレイ９３が略箱状であるときに内側を向く面）が支持面９３ａとほぼ面一となるようにする。このとき、バイパストレイ９３の支持面９３ａは外部に露出した状態となる。
【００１４】
バイパストレイ９３の支持面９３ａと対向する位置には、サイズセンサ２２が設けられている。サイズセンサ２２は、バイパストレイ９３の支持面９３ａに支持されている用紙９のサイズを検知するためのものである。サイズセンサ２２としては、例えば、発光素子と受光素子とを備えた光反射型のセンサを採用することができる。サイズセンサ２２は、支持面９３ａの検知領域に対して光を照射した際の反射光量に基づいて、検知領域における用紙９の有無を検知することができる。サイズセンサ２２は、支持面９３ａの複数の検知領域における用紙９の有無を検知することで、支持面９３ａに支持されている用紙９のサイズを検知することができる。なお、支持面９３ａ内において左右方向と直交する方向にスライド可能であり支持面９３ａに支持された用紙９の縁に当接する用紙ガイド（不図示）の位置を検知するセンサをサイズセンサとして採用することもできる。また、支持面９３ａに支持されている用紙９のサイズをユーザが入力する構成としてもよい。
【００１５】
記録部６は、キャリッジ６１と、記録ヘッド６３とを有している。キャリッジ６１は、２つのガイドレール６７ａ、６７ｂによって支持されている。２つのガイドレール６７ａ、６７ｂは、前後方向に互いに離隔して配置され、各々が左右方向に延設されている。キャリッジ６１は、２つのガイドレール６７ａ、６７ｂを跨ぐようにして配置されている。キャリッジ６１は、キャリッジ駆動モータ３１（図２参照）により、２つのガイドレール６７ａ、６７ｂに沿って主走査方向である左右方向に往復移動される。記録ヘッド６３は、キャリッジ６１に搭載されている。記録ヘッド６３は、インクカートリッジ（不図示）から供給されたインクを、下面のノズル面６９に設けられたノズル（不図示）から吐出する。
【００１６】
搬送部７は、用紙９をプリンタ装置１０の内部において搬送するものであり、給紙ローラ５０ａ、５０ｂ、搬送ローラ対７１、排出ローラ対７３、プラテン７５、及びガイド部材１６〜１９を含む。給紙ローラ５０ａは、給紙トレイ９１内の用紙９を後方に向かって送り出す。給紙ローラ５０ｂは、バイパストレイ９３内の用紙９を開口１４に向かって送り出す。
【００１７】
給紙ローラ５０ａは、給紙トレイ９１の上方に配置されている。給紙ローラ５０ａは、アーム５１ａの一端部に回動可能に支持されている。アーム５１ａの給紙ローラ５０ａを支持している一端側とは反対の他端部は、筐体１１に固定され左右方向に延びる支軸５２ａに支持されており、支軸５２ａを中心として左右方向と直交する面内で揺動可能となっている。アーム５１ａは、ばね（不図示）により給紙ローラ５０ａが給紙トレイ９１に支持された用紙９を押圧する方向に付勢されており、給紙ローラ５０ａは、給紙トレイ９１に支持された用紙のうちで最も上に位置する用紙９と接触するようになっている。また、給紙ローラ５０ａは、給紙モータ３３ａ（図２参照）からの駆動力が付与されて回転する。
【００１８】
給紙ローラ５０ｂは、バイパストレイ９３の支持面９３ａと対向する位置に配置されている。給紙ローラ５０ｂは、アーム５１ｂの一端部に回動可能に支持されている。アーム５１ｂの給紙ローラ５０ｂを支持している一端側とは反対の他端部は、バイパストレイ９３に固定され左右方向に延びる支軸５３ｂに支持されており、アーム５１ｂは支軸５３ｂを中心として左右方向と直交する面内で揺動可能となっている。また、アーム５１ｂは、ばね（不図示）により給紙ローラ５０ｂがバイパストレイ９３に支持された用紙のうちで最も上に位置する用紙９を押圧する方向に付勢されている。そして、給紙ローラ５０ｂは、給紙モータ３３ｂ（図２参照）からの駆動力が付与されて回転する。
【００１９】
給紙ローラ５０ｂ、アーム５１ｂ、及び支軸５３ｂは、バイパストレイ９３のベース板９４と３つの側壁９５、９６とで囲まれた領域に配置されている。すなわち、給紙ローラ５０ｂ、アーム５１ｂ、及び支軸５３ｂは、箱状のバイパストレイ９３内に収容される。
【００２０】
搬送ローラ対７１及び排出ローラ対７３は前後方向に記録部６を挟んで配置されており、搬送ローラ対７１は記録部６よりも後方に、排出ローラ対７３は記録部６よりも前方に配置されている。プラテン７５は、記録部６の下方において記録部６のノズル面６９と対向するように配置されている。
【００２１】
搬送ローラ対７１は、搬送モータ３５（図２参照）からの駆動力が付与されて回転する駆動ローラ７１ａと、駆動ローラ７１ａの回転に伴って連れ回る従動ローラ７１ｂとにより構成されている。排出ローラ対７３は、搬送モータ３５からの駆動力が付与されて回転する駆動ローラ７３ａと、駆動ローラ７３ａの回転に伴って連れ回る従動ローラ７３ｂとにより構成されている。
【００２２】
ガイド部材１６〜１９は、筐体１１の後方端部付近に配置されている。ガイド部材１６、１７は前後方向に所定間隔を隔てて互いに対向している。ガイド部材１６、１７の間は、給紙トレイ９１から給紙された用紙９の搬送路となっている。ガイド部材１６、１７は、いずれも湾曲した板状部材であり、給紙トレイ９１の後方側の端部近傍から搬送ローラ対７１の近傍まで延びている。
【００２３】
給紙ローラ５０ａによって給紙トレイ９１から後方に送り出された用紙９は、給紙トレイ９１の後端部に設けられた傾斜板９１ｂにより斜め上方に向かい、ガイド部材１６、１７の間を通って、搬送ローラ対７１に挟持される位置に到達する。
【００２４】
ガイド部材１８、１９は、いずれも開口１４の近傍から搬送ローラ対７１の近傍まで延びる板状部材であり、上下方向に所定間隔を隔てて互いに対向している。ガイド部材１８、１９の間は、バイパストレイ９３から送り出された用紙９の搬送路となっている。ガイド部材１８、１９によって形成される搬送路と、ガイド部材１６、１７によって形成される搬送路とは、搬送ローラ対７１よりも上流において合流している。
【００２５】
給紙ローラ５０ｂによってバイパストレイ９３から給紙された用紙９は、開口１４を介して筐体１１内へと送り込まれ、ガイド部材１８、１９の間を通って、搬送ローラ対７１に挟持される位置に到達する。
【００２６】
給紙トレイ９１又はバイパストレイ９３から給紙されて搬送ローラ対７１に挟持された用紙９は、搬送ローラ対７１によって前方に搬送される。搬送ローラ対７１によって前方に搬送された用紙９は、プラテン７５によって支持された状態で、主走査方向に移動する記録ヘッド６３のノズル（不図示）からインクが吐出されて画像が記録される。記録済みの用紙９は、排出ローラ対７３によって前方に搬送されて、排出トレイ５に排出される。
【００２７】
ガイド部材１６〜１９の下流端部と搬送ローラ対７１との間には、レジストセンサ２７が設けられている。レジストセンサ２７は、ガイド部材１６〜１９と搬送ローラ対７１との間を通過する用紙９の有無を検出するものである。レジストセンサ２７としては、メカニカルセンサや光学式センサなどが採用される。給紙ローラ５０ａ、５０ｂにより給紙トレイ９１又はバイパストレイ９３からの給紙を試行し、レジストセンサ２７によってガイド部材１６〜１９と搬送ローラ対７１との間を用紙９が通過したか否かを判断することで、給紙トレイ９１又はバイパストレイ９３に用紙９が支持されているか否かを検知することができる。すなわち、レジストセンサ２７は本発明の「第１媒体検知部」及び「第２媒体検知部」を構成するものである。
【００２８】
制御部８は、複合機１全体の制御を司るものであり、図２に示すように、操作ボタン２８及びＬＥＤランプ２９が電気的に接続されている。操作ボタン２８は、ユーザ操作に応じた出力信号を制御部８に出力する。操作ボタン２８は、プリント機能、スキャン機能、及びコピー機能を選択するための機能選択用のボタンと、機能選択用のボタンで選択した機能を実行するための実行用のボタンとを少なくとも含んでいる。本実施形態においては、実行用の操作ボタン２８は、１回押された場合には第１信号を出力し、２回連続して押された、つまり２回目の押下が１回目から所定時間内に実行された場合には第１信号とは異なる第２信号を出力する。操作ボタン２８の操作態様と出力信号との関係はこれに限定されるものではなく、例えば、操作ボタン２８が短く押された場合には第１信号を出力し、所定時間よりも長く押し続けられた場合には第２信号を出力するようにしてもよい。ＬＥＤランプ２９は、制御部８からの出力信号に基づいて表示態様（消灯、点灯、点滅など）が切り替わることで、ユーザへの報知を行うことができる。
【００２９】
後で詳述するように、本実施形態の複合機１で行われるコピー処理には、第１コピー処理（図４参照）と第２コピー処理（図５参照）との２種類の処理方法がある。第１コピー処理は、給紙トレイ９１又はバイパストレイ９３から用紙９を給紙して、スキャナ装置２で原稿を読み取ることで得られた画像データにかかる画像を１部コピーする処理である。第２コピー処理は、バイパストレイ９３に支持されたすべての用紙９を給紙することによって、スキャナ装置２で原稿を読み取ることで得られた画像データにかかる画像を任意の所望部数コピーする処理である。ユーザは実行用の操作ボタン２８の操作態様を変えることで、第１コピー処理（図４参照）と第２コピー処理（図５参照）とのいずれかを選択することができる。すなわち、本実施形態においては、操作ボタン２８が１回押され操作ボタン２８から第１信号が出力された場合には第１コピー処理が実行され、操作ボタン２８が２回押され操作ボタン２８から第２信号が出力された場合には第２コピー処理が実行される。
【００３０】
また、制御部８には、図２に示すようにプリンタ装置１０のキャリッジ駆動モータ３１、記録ヘッド６３、給紙モータ３３ａ、３３ｂ、搬送モータ３５、サイズセンサ２２、及び、レジストセンサ２７等が電気的に接続されている。さらに、制御部８には、ＵＳＢ(Universal Serial Bus)インターフェース２５が電気的に接続されている。ＵＳＢインターフェース２５は、ＵＳＢ規格のインターフェースであり、リムーバブルメモリとしてのＵＳＢメモリを接続することができる。本実施形態の複合機１は、ダイレクトプリント機能を有しており、ＵＳＢインターフェース２５に接続されたＵＳＢメモリに格納された画像データにかかる画像をプリントすることができる。なお、制御部８には、スキャナ装置２にかかる機器も接続されているが、ここでは説明を省略する。
【００３１】
制御部８は、図２に示すように、ＣＰＵ（Central Processing Unit）８１、ＲＯＭ（Read Only Memory）８２、ＲＡＭ（Random Access Memory）８３、ＡＳＩＣ（Application Specific Integrated Circuit）８５などを含み、これらが協働して、キャリッジ駆動モータ３１、記録ヘッド６３、給紙モータ３３ａ、３３ｂ、及び搬送モータ３５などの動作を制御する。
【００３２】
なお、図２では、ＣＰＵ８１及びＡＳＩＣ８５を１つずつ図示しているが、制御部８は、ＣＰＵ８１を１つだけ含み、この１つのＣＰＵ８１が必要な処理を一括して行うものであってもよいし、ＣＰＵ８１を複数含み、これら複数のＣＰＵ８１が必要な処理を分担して行うものであってもよい。また、制御部８は、ＡＳＩＣ８５を１つだけ含み、この１つのＡＳＩＣ８５が必要な処理を一括して行うものであってもよいし、ＡＳＩＣ８５を複数含み、これら複数のＡＳＩＣ８５が必要な処理を分担して行うものであってもよい。
【００３３】
ここで、図３〜図５を参照しつつ、複合機１でコピー機能を実行する際、すなわち機能選択用の操作ボタン２８によりコピー機能が選択された状態のときに制御部８で行われる処理手順の一例について説明する。まず、図３に示すように、実行用の操作ボタン２８が１回押されたか否か、すなわち操作ボタン２８から第１信号が出力されたか否かを判断する（Ｓ１）。Ｓ１において、操作ボタン２８が１回押されたと判断した場合には（Ｓ１：ＹＥＳ）、第１コピー処理を実行する（Ｓ２：詳細は図４参照）。
【００３４】
一方、Ｓ１において、操作ボタン２８が１回押されていないと判断した場合には（Ｓ１：ＮＯ）、実行用の操作ボタン２８が２回押されたか否か、すなわち操作ボタン２８から第２信号が出力されたか否かを判断する（Ｓ３）。Ｓ３において、操作ボタン２８が２回押されたと判断した場合には（Ｓ３：ＹＥＳ）、第２コピー処理を実行する（Ｓ４：詳細は図５参照）。そして、Ｓ３において、操作ボタン２８が２回押されていないと判断した場合には（Ｓ３：ＮＯ）、Ｓ１に戻る。
【００３５】
続いて、図４を参照しつつ、第１コピー処理の処理手順の一例について説明する。第１コピー処理とは、上述のように、給紙トレイ９１又はバイパストレイ９３から用紙９を給紙して、スキャナ装置２で原稿を読み取ることで得られた画像データにかかる画像を１部コピーする処理である。
【００３６】
まず、スキャナ装置２によって読み取り台（不図示）にセットされた原稿をスキャンする（Ｓ１１）。次に、給紙モータ３３ａを駆動して、給紙ローラ５０ａによる給紙トレイ９１からの給紙を試行する（Ｓ１２）。その後、レジストセンサ２７からの出力信号に基づいて、給紙トレイ９１からの給紙が成功したか否かを判断する（Ｓ１３）。すなわち、給紙ローラ５０ａによる給紙トレイ９１からの給紙の試行を実行開始した後、所定時間以内にレジストセンサ２７で用紙９の検出が行われた場合には給紙トレイ９１からの給紙が成功したと判断し、所定時間以内にレジストセンサ２７で用紙９の検出が行われなかった場合には給紙トレイ９１からの給紙が成功しなかったと判断する。
【００３７】
Ｓ１３において、給紙トレイ９１からの給紙が成功したと判断した場合、すなわち給紙トレイ９１の支持面９１ａに用紙９が支持されていると判断した場合には（Ｓ１３：ＹＥＳ）、Ｓ１２で給紙が試行された用紙９を１枚目として用いて、Ｓ１１でのスキャンにより取得した画像データにかかる画像を１部コピーする。すなわち、記録部６により、給紙トレイ９１から給紙された用紙９を用いた１部のコピーを行う（Ｓ１４）。Ｓ１４において１部コピーを実行した後、第１コピー処理は終了する。
【００３８】
一方、給紙トレイ９１からの給紙が成功しなかったと判断した場合、すなわち給紙トレイ９１の支持面９１ａに用紙９が支持されていないと判断した場合には（Ｓ１３：ＮＯ）、給紙モータ３３ｂを駆動して、給紙ローラ５０ｂによるバイパストレイ９３からの給紙を試行する（Ｓ１５）。続いて、レジストセンサ２７からの出力信号に基づいて、バイパストレイ９３からの給紙が成功したか否かを判断する（Ｓ１６）。すなわち、給紙ローラ５０ｂによるバイパストレイ９３からの給紙の試行を実行開始した後、所定時間以内にレジストセンサ２７で用紙９の検出が行われた場合にはバイパストレイ９３からの給紙が成功したと判断し、所定時間以内にレジストセンサ２７で用紙９の検出が行われなかった場合にはバイパストレイ９３からの給紙が成功しなかったと判断する。
【００３９】
Ｓ１６において、バイパストレイ９３からの給紙が成功したと判断した場合、すなわちバイパストレイ９３の支持面９３ａに用紙９が支持されていると判断した場合には（Ｓ１６：ＹＥＳ）、Ｓ１４に進み、Ｓ１５で給紙が試行された用紙９を１枚目として用いて、１部のコピーを実行する。すなわち、記録部６により、バイパストレイ９３から給紙された用紙９を用いた１部のコピーを行う。一方、バイパストレイ９３からの給紙が成功しなかったと判断した場合、すなわちバイパストレイ９３の支持面９３ａに用紙９が支持されていないと判断した場合には（Ｓ１６：ＮＯ）、ＬＥＤランプ２９の表示態様を切り換えて、給紙トレイ９１及びバイパストレイ９３の両方に用紙９が支持されていない旨の紙無しエラーをユーザに報知する（Ｓ１７）。すなわち、例えば、ＬＥＤランプ２９の表示態様が、消灯状態から点灯状態に切り替えられる。その後、Ｓ１２に戻り、再度給紙トレイ９１からの給紙を試行する。
【００４０】
次に、図５を参照しつつ、第２コピー処理の処理手順について説明する。第２コピー処理とは、上述のように、バイパストレイ９３に支持されたすべての用紙９を給紙することによって、スキャナ装置２で原稿を読み取ることで得られた画像データにかかる画像を任意の希望部数コピーする処理である
【００４１】
まず、スキャナ装置２によって読み取り台（不図示）にセットされた原稿をスキャンする（Ｓ２１）。次に、給紙モータ３３ｂを駆動して、給紙ローラ５０ｂによってバイパストレイ９３からの給紙を試行する（Ｓ２２）。その後、レジストセンサ２７からの出力信号に基づいて、バイパストレイ９３からの給紙が成功したか否かを判断する（Ｓ２３）。すなわち、給紙ローラ５０ｂによるバイパストレイ９３からの給紙の試行を実行開始した後、所定時間以内にレジストセンサ２７で用紙９の検出が行われた場合にはバイパストレイ９３からの給紙が成功したと判断し、所定時間以内にレジストセンサ２７で用紙９の検出が行われなかった場合にはバイパストレイ９３からの給紙が成功しなかったと判断する。
【００４２】
Ｓ２３において、バイパストレイ９３からの給紙が成功しなかったと判断した場合、すなわちバイパストレイ９３の支持面９３ａに用紙９が支持されていないと判断した場合には（Ｓ２３：ＮＯ）、ＬＥＤランプ２９の表示態様を切り換えて、バイパストレイ９３に用紙９が支持されていない旨の紙無しエラーをユーザに報知する（Ｓ２４）。すなわち、例えば、ＬＥＤランプ２９の表示態様が、消灯状態から点滅状態に切り替えられる。ここで、ユーザが第２コピー処理を指示したにも拘わらずバイパストレイ９３に用紙９が無いということは、ユーザがバイパストレイ９３に用紙９をセットするのを忘れているか、又は、第１コピー処理を指示するつもりであったが誤って第２コピー処理を指示してしまったか、の可能性が考えられる。
【００４３】
そこで、実行用の操作ボタン２８がＳ２４における紙無しエラー報知後に２回押されたか否かを判断する（Ｓ２５）。そして、操作ボタン２８が２回押されたと判断した場合には（Ｓ２５：ＹＥＳ）、Ｓ２２に戻って再度バイパストレイ９３からの給紙を試行する。これにより、ユーザがバイパストレイ９３に用紙９をセットするのを忘れていた場合には、バイパストレイ９３に用紙９をセットした後に実行用の操作ボタン２８を２回押すことで、バイパストレイ９３からの給紙を実行することができる。
【００４４】
一方、操作ボタン２８が２回押されていないと判断した場合には（Ｓ２５：ＮＯ）、実行用の操作ボタン２８が１回押されたか否かを判断する（Ｓ２６）。そして、操作ボタン２８が１回押されていないと判断した場合には（Ｓ２６：ＮＯ）、Ｓ２５に戻って、再度操作ボタン２８が２回押されたか否かの判断を行う。また、操作ボタン２８が１回押されたと判断した場合には（Ｓ２６：ＹＥＳ）、給紙モータ３３ａを駆動して、給紙ローラ５０ａによって給紙トレイ９１からの給紙を試行する（Ｓ２７）。
【００４５】
その後、給紙トレイ９１からの給紙が成功したか否かを判断する（Ｓ２８）。Ｓ２８での判断方法は、図４のＳ１２と同じであるので説明は省略する。Ｓ２８において、給紙トレイ９１からの給紙が成功しなかったと判断した場合、すなわち給紙トレイ９１の支持面９１ａに用紙９が支持されていないと判断した場合には（Ｓ２８：ＮＯ）、Ｓ２４に戻って再度紙無しエラーを報知する。一方、Ｓ２８において、給紙トレイ９１からの給紙が成功したと判断した場合、すなわち給紙トレイ９１の支持面９１ａに用紙９が支持されていると判断した場合には（Ｓ２８：ＹＥＳ）、Ｓ２１でのスキャンにより取得した画像データにかかる画像のコピーを１部作成する。すなわち、記録部６により、Ｓ２７で給紙が試行された用紙９を１枚目として用いて、給紙トレイ９１から給紙された用紙９を用いた１部のコピーを行う（Ｓ２９）。これにより、ユーザが第１コピー処理を指示するつもりであったが誤って第２コピー処理を指示してしまった場合であっても、Ｓ２４で紙無しエラーが報知された後に操作ボタン２８を１回押すことで、給紙トレイ９１から用紙９を給紙して１部のコピーを実行することができる。
【００４６】
また、Ｓ２３において、バイパストレイ９３からの給紙が成功したと判断した場合、すなわちバイパストレイ９３の支持面９３ａに用紙９が支持されていると判断した場合には（Ｓ２３：ＹＥＳ）、スキャナ装置２で読み取りが行われた原稿のサイズと、バイパストレイ９３に支持されている用紙９のサイズとが一致するか否かを判断する（Ｓ３０）。バイパストレイ９３に支持されている用紙９のサイズは、サイズセンサ２２の出力信号から取得することができる。
【００４７】
Ｓ３０において、原稿サイズとバイパストレイ９３に支持されている用紙９のサイズとが一致しないと判断した場合には（Ｓ３０：ＮＯ）、倍率同意フラグが立っているか否かを判断する（Ｓ３１）。倍率同意フラグとは、スキャナ装置２で生成された画像データの倍率を、バイパストレイ９３に支持される用紙９のサイズに合わせてコピーを実行することにユーザが同意している旨を示すフラグである。そして、倍率同意フラグが立っていると判断した場合には（Ｓ３１：ＹＥＳ）、後述するＳ３６に進む。
【００４８】
一方、倍率同意フラグが立っていないと判断した場合には（Ｓ３１：ＮＯ）、記録部６により、バイパストレイ９３から給紙された用紙９を用いた１部のコピーを行う（Ｓ３２）。このとき、スキャナ装置２で生成された画像データの倍率を、バイパストレイ９３に支持される用紙９のサイズに合わせてコピーを行う。続いて、実行用の操作ボタン２８がＳ３２における１部のコピー実行後に２回押されたか否かを判断する（Ｓ３３）。操作ボタン２８が２回押されていないと判断した場合には（Ｓ３３：ＮＯ）、所定時間が経過したか否かを判断し（Ｓ３４）、第１所定時間が経過するまで（Ｓ３４：ＮＯ）はＳ３３に戻って、再度操作ボタン２８が２回押されたか否かを判断する。そして、第１所定時間が経過したと判断した場合には（Ｓ３４：ＹＥＳ）、第２コピー処理を終了する。さらに、Ｓ３３において、操作ボタン２８が２回押されたと判断した場合には（Ｓ３３：ＹＥＳ）、倍率同意フラグを立てた後（Ｓ３５）、Ｓ２２に戻ってバイパストレイ９３からの給紙を試行する。
【００４９】
ここで、原稿サイズとバイパストレイ９３に支持されている用紙９のサイズとが一致しないという状況は、ユーザがバイパストレイ９３に支持されている用紙９のサイズに合わせて倍率を変更してコピーを行うことを希望する場合のほか、バイパストレイ９３に誤ったサイズの用紙９がセットされておりユーザが正しいサイズの用紙９への入れ替えを希望する場合もあり得る。そこで、Ｓ３２において、スキャナ装置２で生成された画像データの倍率を、バイパストレイ９３に支持される用紙９のサイズに合わせて１部のコピーを行うことで、ユーザにサイズエラーであることを報知することができる（サイズエラー報知処理）。また、ユーザは、Ｓ３２の後、第１所定時間以内に操作ボタン２８を２回押すことで、スキャナ装置２で生成された画像データの倍率を、バイパストレイ９３に支持される用紙９のサイズに合わせてコピーを実行することに同意することができる。したがって、Ｓ３５で倍率同意フラグが立てられて後に後述するＳ３６でコピーを実行する際には、スキャナ装置２で生成された画像データの倍率を、バイパストレイ９３に支持される用紙９のサイズに合わせてコピーが実行される。この際のコピーは残り部数だけ行うようにしてもよい。なお、ユーザはバイパストレイ９３にセットされている用紙９を異なるサイズの用紙に入れ替えてから、操作ボタン２８を２回押すことも可能である。この場合、後述するＳ３６でコピーを実行する際には、入れ替えられた後のバイパストレイ９３に支持される用紙９のサイズをサイズセンサ２２により検知し、スキャナ装置２で生成された画像データの倍率を、入れ替えられた後のバイパストレイ９３に支持される用紙９のサイズに合わせてコピーが実行される。
【００５０】
Ｓ３０において、原稿サイズとバイパストレイ９３に支持されている用紙９のサイズとが一致していると判断した場合には（Ｓ３０：ＹＥＳ）、Ｓ３６に進む。Ｓ３６においては、バイパストレイ９３に支持された用紙９をすべて給紙し、記録部６により任意の希望部数のコピーを行う（Ｓ３６）。このとき、原稿サイズとバイパストレイ９３に支持されている用紙９のサイズとが一致している場合には、スキャナ装置２で生成された画像データにかかる画像が等倍でコピーされる。また、原稿サイズとバイパストレイ９３に支持されている用紙９のサイズとが一致していない場合には、スキャナ装置２で生成された画像データの倍率を、バイパストレイ９３に支持される用紙９のサイズに合わせてコピーが実行される。
【００５１】
続いて、実行用の操作ボタン２８がＳ３６の処理が終了した後に２回押されたか否かを判断する（Ｓ３７）。操作ボタン２８が２回押されていないと判断した場合には（Ｓ３７：ＮＯ）、第２所定時間が経過したか否かを判断し（Ｓ３８）、第２所定時間が経過するまで（Ｓ３８：ＮＯ）はＳ３７に戻って、再度操作ボタン２８が２回押されたか否かを判断する。そして、所定時間が経過したと判断した場合には（Ｓ３８：ＹＥＳ）、第２コピー処理を終了する。一方、Ｓ３７において、操作ボタン２８が２回押されたと判断した場合には（Ｓ３７：ＹＥＳ）、Ｓ２２に戻ってバイパストレイ９３からの給紙を試行する。
【００５２】
ここで、ユーザが希望する部数のコピーに必要な用紙９の枚数が、バイパストレイ９３に支持可能な枚数以上である場合がある。そのような場合には、Ｓ３６において当初バイパストレイ９３に支持されていたすべての用紙９を給紙してコピー処理を行った後、所定時間以内にバイパストレイ９３に用紙９を補充し、操作ボタン２８を２回押すことで、追加でコピー処理を行うことができる。
【００５３】
以上のように、上述の実施形態の複合機１では、操作ボタン２８が１回押され操作ボタン２８から第１信号が出力された場合に、給紙トレイ９１又はバイパストレイ９３から用紙９を給紙して、スキャナ装置２で原稿を読み取ることで得られた画像データにかかるコピー画像を１部作成する第１コピー処理を実行し、操作ボタン２８が２回押され操作ボタン２８から第２信号が出力された場合に、バイパストレイ９３に支持されたすべての用紙９を給紙することによって、スキャナ装置２で原稿を読み取ることで得られた画像データにかかるコピー画像を１部又は複数部作成する第２コピー処理を実行する。したがって、ユーザは、１部のコピーを行いたい場合には、第１信号が出力されるように操作ボタン２８を操作すればよい。また、ユーザは、任意の所望部数のコピーを行いたい場合には、バイパストレイ９３に所望部数のコピーに必要な枚数の用紙９を予め支持させておき、第２信号が出力されるように操作ボタン２８を操作すればよい。これによって、表示部がなく操作ボタン２８を有する装置構成であっても、１部のコピーを簡易に実行可能としつつ、任意の所望部数のコピーを行う場合にユーザがコピー部数を把握しやすくなる。
【００５４】
また、上述の実施形態の複合機１では、給紙トレイ９１及びバイパストレイ９３のいずれからも用紙９の給紙が可能である場合には、第１コピー処理を実行する際に給紙トレイ９１から給紙を行い、第２コピー処理を実行する際にバイパストレイ９３から給紙を行う。したがって、２つのコピー処理で同じトレイから給紙が行われる場合と比較して、使い勝手がよくなる。例えば、ユーザは給紙トレイ９１が支持する用紙９の正確な数を把握しておく必要が無く、しかも、給紙トレイ９１に用紙９が支持されている限りはバイパストレイ９３が支持する用紙９の数が第１コピー処理によって減ることがないため、ユーザはバイパストレイ９３が支持する用紙９の数の把握が容易になる。
【００５５】
さらに、上述の実施形態の複合機１では、給紙トレイ９１又はバイパストレイ９３からの給紙を試行し、レジストセンサ２７によってガイド部材１６〜１９と搬送ローラ対７１との間を用紙９が通過したか否かを判断することで、給紙トレイ９１又はバイパストレイ９３に用紙９が支持されているか否かを検知することができる。したがって、給紙トレイ９１及びバイパストレイ９３に用紙９が有るか否かをそれぞれ検知することができる。
【００５６】
加えて、上述の実施形態の複合機１では、操作ボタン２８から第１信号が出力された場合に、給紙トレイ９１の支持面９１ａに用紙９が支持されていると判断されたときは（図４のＳ１３：ＹＥＳ）、給紙トレイ９１に支持された用紙９を給紙することで第１コピー処理を実行する。そして、操作ボタン２８から第１信号が出力された場合に、給紙トレイ９１の支持面９１ａに用紙９が支持されていないと判断され（図４のＳ１３：ＮＯ）、且つ、バイパストレイ９３の支持面９３ａに用紙９が支持されていると判断されたときは（図４のＳ１６：ＹＥＳ）、バイパストレイ９３に支持された用紙９を給紙することで第１コピー処理を実行する。したがって、第１コピー処理を実行する際には給紙トレイ９１から優先して給紙が行われる。よって、給紙トレイ９１に用紙９が支持されている状態において、ユーザはバイパストレイ９３が支持する用紙９の正確な数を把握しておく必要が無い。また、もし給紙トレイ９１に用紙９が無い場合でも、バイパストレイ９３から給紙が行われるので、ユーザに用紙９の補充を強いることなく、コピーを行わせることが可能となる。
【００５７】
また、上述の実施形態の複合機１では、操作ボタン２８から第２信号が出力された場合に、バイパストレイ９３の支持面９３ａに用紙９が支持されていないと判断されたときは（図５のＳ２３：ＮＯ）、ＬＥＤランプ２９の表示態様を切り換えて、バイパストレイ９３に用紙９が支持されていない旨の紙無しエラーをユーザに報知する。したがって、バイパストレイ９３に用紙９が無く、第２コピー処理（任意部数のコピー）を実行できないことをユーザに報知できる。
【００５８】
また、上述の実施形態の複合機１では、バイパストレイ９３に用紙９が支持されていない旨の紙無しエラーをユーザに報知した後（図５のＳ２４）、再度操作ボタン２８が２回押されて第２信号が出力され（図５のＳ２５：ＹＥＳ）、バイパストレイ９３の支持面９３ａに用紙９が支持されていると判断した場合（図５のＳ２３：ＹＥＳ）、スキャナ装置２によって再度画像データを取得することなく、取得済みの画像データに基づいて任意の所望部数のコピーを実行する（図５のＳ３６）。したがって、紙無しエラー報知の後、バイパストレイ９３に用紙９が補充された場合は、再度画像データを取得することなくスムーズに任意の所望部数のコピーを行うことができる。
【００５９】
さらに、上述の実施形態の複合機１では、バイパストレイ９３に用紙９が支持されていない旨の紙無しエラーをユーザに報知した後（図５のＳ２４）、操作ボタン２８が１回押されて第１信号が出力された場合に（図５のＳ２６：ＹＥＳ）、スキャナ装置２によって再度画像データを取得することなく、取得済みの画像データに基づいて１部のコピーを実行する（図５のＳ２９）。したがって、ユーザは１部のコピー（第１コピー処理）を行いたい場合に、誤って任意の所望部数のコピー（第２コピー処理）を指示してしまっても、紙無しエラー報知の後に改めて１部のコピーを指示することで、再度画像データを取得することなくスムーズに１部のコピーを行うことができる。
【００６０】
また、上述の実施形態の複合機１では、任意の所望部数のコピー処理終了後の所定時間以内に操作ボタン２８が２回押されて第２信号が出力された場合に（図５のＳ３７：ＹＥＳ）、バイパストレイ９３に支持されたすべての用紙９を給紙することによって、スキャナ装置２によって再度画像データを取得することなく、取得済みの画像データに基づいて任意の所望部数のコピーを実行する（図５のＳ３６）。したがって、所望部数のコピーを行うのに必要な用紙９の枚数がバイパストレイ９３の支持面９３ａに支持可能な最大枚数以上である場合に、まず任意の所望部数のコピーの指示を行ってバイパストレイ９３の支持面９３ａに支持可能な最大枚数以下の用紙９へのコピーを行い、そのコピー終了後にバイパストレイ９３に所望部数のコピーに必要な残りの数の用紙９を補充してから再度任意の所望部数のコピーの指示を行うことで、続けてコピーを行うことができる。なお、３回以上に分けて所望部数のコピーを行ってもよい。
【００６１】
加えて、上述の実施形態の複合機１では、操作ボタン２８が２回押されて第２信号が出力された場合に、バイパストレイ９３に支持されている用紙９のサイズが、スキャナ装置２で読み取りが行われた原稿のサイズと異なると判断したときに（図５のＳ３０：ＮＯ）、ユーザにサイズエラーであることを報知する（図５のＳ３２）。バイパストレイ９３の用紙９のサイズが、スキャナ装置２で読み取りが行われた原稿のサイズと異なるという状況では、ユーザが用紙９のサイズに合わせて倍率を変更してコピーを行うことを希望する場合のほか、バイパストレイ９３に誤ったサイズの用紙９がセットされておりユーザが正しいサイズの用紙９への入れ替えを希望する場合もあり得る。したがって、サイズエラーをユーザに報知することで、ユーザが望まない任意部数の用紙９へのコピーが実行されるのを避けることができる。
【００６２】
さらに、上述の実施形態の複合機１では、バイパストレイ９３に支持されている用紙９のサイズが、スキャナ装置２で読み取りが行われた原稿のサイズと異なると判断したときに（図５のＳ３０：ＮＯ）、スキャナ装置２で生成された画像データの倍率をバイパストレイ９３に支持される用紙９のサイズに合わせてコピーを１部行うことで、ユーザにサイズエラーであることを報知する（図５のＳ３２）。したがって、用紙９のサイズに合わせて倍率を変更して１部のコピーを実行することで、ユーザにサイズエラーである旨を報知すると共に、同じ倍率で任意部数のコピーを実行して良いか否かを確認することができる。
【００６３】
また、上述の実施形態の複合機１では、ユーザにサイズエラーを報知した後（図５のＳ３２）、操作ボタンが２回押されて第２信号を出力した場合に（図５のＳ３３：ＹＥＳ）、スキャナ装置２によって再度画像データを取得することなく取得済みの画像データに基づいて、倍率をバイパストレイ９３に支持される用紙９のサイズに合わせて、バイパストレイ９３に支持されている全ての用紙９を給紙して任意部数のコピーを実行する（図５のＳ３６）。したがって、サイズエラーをユーザに報知した後に、再度画像データを取得することなくスムーズに任意部数のコピーを実行することができる。
【００６４】
加えて、上述の実施形態の複合機１においては、第２コピー処理を行う際に給紙が行われるバイパストレイ９３は、その支持面９３ａは外部に露出している。したがって、バイパストレイ９３に用紙９を支持させた後においても、ユーザは、バイパストレイ９３に支持された用紙９の数を外部から視認することで把握しやすくなる。
【００６５】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００６６】
すなわち、上述の実施形態においては、複合機１でコピー機能を実行する際の処理手順について説明したが、複合機１においてプリント機能を実行する際にも本発明を適用することができる。つまり、ＵＳＢインターフェース２５に接続されたＵＳＢメモリから取得した画像データをプリントする際に、ユーザが実行用の操作ボタン２８を１回押した場合には、給紙トレイ９１又はバイパストレイ９３から用紙９を給紙して１部のプリントを行う。そして、ユーザが実行用の操作ボタン２８を２回押した場合には、バイパストレイ９３に支持されたすべての用紙９を給紙することによって任意の所望部数のプリントを行う。したがって、本発明はスキャナ装置２を持たない画像記録装置にも適用可能である。
【００６７】
また、上述の実施形態においては、実行用の操作ボタン２８は、２パターンの異なる操作態様（１回押し／２回押し）で操作された場合に、互いに異なる第１信号と第２信号とを出力する場合について説明したが、これには限定されない。すなわち、例えば第１信号を出力する操作ボタンと第２信号を出力する操作ボタンとを個別に備えていてもよい。さらに、操作ボタン２８に替えて、ユーザ操作に応じて少なくとも２種類の信号を出力するレバー等を備えていてもよい。
【００６８】
また、上述の実施形態においては、給紙トレイ９１及びバイパストレイ９３のいずれからも用紙９の給紙が可能である場合には、第１コピー処理を実行する際に給紙トレイ９１から給紙を行い、第２コピー処理を実行する際にバイパストレイ９３から給紙を行う場合について説明したが、これには限定されない。すなわち、例えば第１コピー処理を実行する場合と第２コピー処理を実行する場合とで同じトレイから給紙が行われてもよい。さらに、ユーザが指定したトレイから給紙を行うようにしてもよい。
【００６９】
また、上述の実施形態では、給紙トレイ９１及びバイパストレイ９３の２つのトレイを備えている場合について説明したが、トレイの数はこれに限定されるものではなく、１つであってもよいし、３つ以上であってもよい。
【００７０】
さらに、上述の実施形態では、給紙トレイ９１又はバイパストレイ９３からの給紙を試行し、レジストセンサ２７によってガイド部材１６〜１９と搬送ローラ対７１との間を用紙９が通過したか否かを判断することで、給紙トレイ９１又はバイパストレイ９３に用紙９が支持されているか否かを検知する場合について説明したが、各トレイの用紙９の有無の検知方法はこれに限定されるものではない。すなわち、例えば給紙トレイ９１の支持面９１ａの上方、及び、バイパストレイ９３の支持面９３ａの上方にそれぞれ光反射型のセンサを設け、支持面９１ａ、９３ａに向けて光を照射した際の反射光量に基づいて、支持面９１ａ、９３ａにおける用紙９の有無を検知してもよい。
【００７１】
加えて、上述の実施形態では、第１コピー処理を実行する場合に、給紙トレイ９１に用紙９が有るときは、給紙トレイ９１の用紙９を給紙することでコピー処理を実行し、給紙トレイ９１に用紙９が無く、且つ、バイパストレイ９３に用紙９が有るときは、バイパストレイ９３の用紙９を給紙することでコピー処理を実行する場合について説明したが、第１コピー処理は、１つのトレイの用紙９のみを用いて行うようにしてもよい。
【００７２】
さらに、上述の実施形態では、第２コピー処理を実行する場合に、バイパストレイ９３に用紙９が無いときは紙無しエラーをユーザに報知する場合について説明したが、これには限定されない。すなわち、バイパストレイ９３に用紙９が無くても、給紙トレイ９１に用紙９が有れば給紙トレイ９１の用紙９を給紙して第２コピー処理を実行するようにしてもよい。
【００７３】
また、上述の実施形態では、ＬＥＤランプ２９の表示態様を切り換えることで、バイパストレイ９３に用紙９が支持されていない旨の紙無しエラーをユーザに報知する場合について説明したが、紙無しエラーの報知方法はこれに限定されるものではない。すなわち、例えばスピーカーを備えておき、スピーカーから音声を発することで紙無しエラーを報知するようにしてもよい。
【００７４】
また、上述の実施形態では、第２コピー処理を実行する場合に、バイパストレイ９３に用紙９が無いと判断して紙無しエラーをユーザに報知した後、再度操作ボタン２８が２回押されたか否かの判断や操作ボタン２８が１回押されたか否かの判断を行う場合について説明したが、これには限定されない。すなわち、例えばバイパストレイ９３に用紙９が無いと判断した場合には、第２コピー処理を終了するようにしてもよい。
【００７５】
さらに、上述の実施形態では、任意の所望部数のコピー処理終了後の所定時間以内に操作ボタン２８が２回押されたか否かの判断を行う場合について説明したが、これには限定されない。すなわち、任意の所望部数のコピー処理終了後に第２コピー処理を終了するようにしてもよい。
【００７６】
加えて、上述の実施形態では、第２コピー処理を実行する場合に、バイパストレイ９３に支持されている用紙９のサイズが、スキャナ装置２で読み取りが行われた原稿のサイズと異なるときは、スキャナ装置２で生成された画像データの倍率をバイパストレイ９３に支持される用紙９のサイズに合わせてコピーを１部行うことで、ユーザにサイズエラーであることを報知する場合について説明したが、サイズエラーの報知方法はこれには限定されるものではない。すなわち、例えばスキャナ装置２で生成された画像データを等倍で１部コピーすることで、サイズエラーを報知するようにしてもよい。また、サイズエラー報知でコピーを実行する際には、１部すべてでなくて１部の中の１枚だけであってもよい。さらに、サイズエラー報知用のＬＥＤランプを設け、サイズエラーである場合に点灯させるようにしてもよい。
【００７７】
さらに、上述の実施形態では、ユーザにサイズエラーを報知した後、操作ボタン２８が２回押されて第２信号を出力した場合に、取得済みの画像データの倍率をバイパストレイ９３に支持される用紙９のサイズに合わせて、バイパストレイ９３に支持されている全ての用紙９を給紙して任意部数のコピーを実行する場合について説明したが、これには限定されない。すなわち、ユーザにサイズエラーを報知した後に任意部数のコピーを実行する契機となる操作ボタン２８からの出力信号は第２信号に限られず、操作ボタン２８が１回押された場合に出力される第１信号であってもよいし、第１信号及び第２信号とは異なる第３信号であってもよい。また、サイズエラーが生じた場合には、第２コピー処理を終了するようにしてもよい。
【００７８】
加えて、上述の実施形態では、第２コピー処理を行う際に給紙が行われるバイパストレイ９３の支持面９３ａが外部に露出している場合について説明したが、支持面が筐体１１内に位置するトレイから給紙して第２コピー処理を行うようにしてもよい。
【００７９】
また、上述の実施形態は、ノズルからと吐出されたインクによって画像の記録を行うインクジェット式の画像記録装置に本発明を適用したものであるが、例えばレーザ式などインクジェット式以外の記録形式の画像記録装置に本発明を適用することも可能である。
【符号の説明】
【００８０】
１  複合機（画像記録装置）
２  スキャナ装置（画像データ取得部）
６  記録部（画像記録部）
８  制御部
１０  プリンタ装置
２５  ＵＳＢインターフェース（画像データ取得部）
２７  レジストセンサ（第１媒体検知部、第２媒体検知部）
２８  操作ボタン  信号出力部
２９  ＬＥＤランプ（報知ボタン）
９１  給紙トレイ（給紙部）
９１ａ  支持面
９３  バイパストレイ（給紙部）
９３ａ  支持面
【図１】
2020055123.tif 000003
【図２】
2020055123.tif 000004
【図３】
2020055123.tif 000005
【図４】
2020055123.tif 000006
【図５】
2020055123.tif 000007